(57)【要約】【課題】表面や裏面が平坦な形状の紙袋をノートのように使用できるように構成することで、これまでにないユニークな使用が可能になるノート兼用紙袋を提供する。【解決手段】表紙体１０と袋体２０とで構成する。表紙体１０の表表紙１１と裏表紙１２との間に背表紙１３を設ける。袋体２０を平坦な紙袋とする。紙袋の平坦な表面及び裏面を筆記面２１として設ける。複数枚の袋体２０を重ねる。重ねた袋体２０の片側を背表紙１３に着脱自在に接着する。ノート状に設けた袋体２０を背表紙１３から取り外し自在に構成する。【選択図】  図４
0003212211.tif 000002
【実用新案登録請求の範囲】
【請求項１】
表表紙と裏表紙との間に背表紙を備えた表紙体と、紙袋の平坦な表面及び裏面を筆記面として設けた袋体とを備え、複数枚の袋体を重ねると共に、重ねた袋体の片側を背表紙に着脱自在に接着してノート状に設け、該背表紙から各袋体を取り外し自在に構成したことを特徴とするノート兼用紙袋。
【請求項２】
前記袋体は、二方袋又は三方袋の構造を成した紙袋が使用される請求項１記載のノート兼用紙袋。
【請求項３】
前記袋体は、開口する上部側縁側の表側の一部に切欠口部が形成された請求項１記載のノート兼用紙袋。
【考案の詳細な説明】
【技術分野】
【０００１】
本考案は、重ねて綴じた複数の紙袋をノートとして使用すると共に、各紙袋を切り離して個別の収納袋として使用することができるノート兼用紙袋に関する。
【背景技術】
【０００２】
従来、収納袋を綴じて記録ノートと併用する構成は、特許文献１乃至特許文献３にて提案されている。
【０００３】
特許文献１の記録ノートは、左端に設けられたとじ穴をリング又は紐でとじられた多数の台紙状のもので、各台紙は、台紙の左半分にメモ欄部を設け、右半分に透明のプラスチック製袋部を貼り付けている。そして、メモ欄部を薬の記録ノートとし、プラスチック製袋部に薬の空き袋を収納するように構成したものである。
【０００４】
一方、特許文献２の袋付きノートは、ノートの左半分に配置する透明な収納袋と、右半分に配置する筆記部分とを中央部で重ねて綴じ合わせたものである。そして、左の透明な袋に領収書等を収納し、右の筆記部分に必要事項を記入するように構成している。
【０００５】
更に、特許文献３の控書付封筒の組合せ構造では、封筒の開口した上部を重ねて綴じ合わせ、封筒の上部に切れ目線を設け、この切れ目線から封筒を切り離して使用するものである。この際、切れ目線を介して残る側の余白部と切り離す側の封筒とに、夫々同じ内容の記載をすることで、控えと封筒とへの記載忘れがなくなるという構成である。
【先行技術文献】
【特許文献】
【０００６】
【特許文献１】特許第６０４０３３２号
【特許文献２】実開平３-３９５６３号
【特許文献３】実開昭５１-３３０２１号
【考案の概要】
【考案が解決しようとする課題】
【０００７】
ところが、いずれの構成も、収納袋をノートとして同時に使用することはできない構成であった。すなわち、特許文献１や特許文献２の袋付きノートでは、収納袋とノートとが予め左右に分離しているので、収納袋とノートは別々に使用することに限られており、収納袋をノートとして使用することはできない構成である。
【０００８】
また、特許文献３の組合せ構造では、上部が綴じられている複数の封筒を、使用ごとに一枚ずつ切り離して使用する構成であり、発信者の控えと受信者の控えが一致するように設けられたものである。すなわち、切れ目線を介した余白部に発信者の控えを記入し、封筒側に受信者が同じ内容の控えを記入することで、内容の確認や控えの記載忘れを防止するものである。したがって、この封筒をノートとして自由に使用することはできない。
【０００９】
しかも、この封筒の構造は、底部を折り返して裏面に貼り付けた袋が使用されている。そのため、この封筒を何枚も重ねると、底部の貼り付け部分が重なって大きな段差になるため、この段差がノートして使用する際の妨げにならざるを得ない。
【００１０】
一方、収納袋の中でも二方袋や三方袋と称する構造の紙袋は、まるで２枚の紙が重なったような平らな紙袋になる。すなわち、同じ紙袋でも特許文献３に記載の封筒や、合掌袋、ガゼット袋と称する紙袋のように、のり代部分が段差となって袋の表面や裏面から突出する構造ではない。そのため、二方袋や三方袋のように、袋の表面や裏面が平坦な形状を成す紙袋は、ノートとして使用するのに最適な形状を成すといえる。ところが、このように平坦な形状の紙袋をノートとして使用することは、これまで全く提案されていない。
【００１１】
そこで本考案は、表面や裏面が平坦な形状の紙袋をノートのように使用できるように構成することで、これまでにないユニークな使用が可能になるノート兼用紙袋の提供を目的とするものである。
【課題を解決するための手段】
【００１２】
上述の目的を達成すべく本考案における第１の手段は、表表紙１１と裏表紙１２との間に背表紙１３を備えた表紙体１０と、紙袋の平坦な表面及び裏面を筆記面２１として設けた袋体２０とを備え、複数枚の袋体２０を重ねると共に、重ねた袋体２０の片側を背表紙１３に着脱自在に接着してノート状に設け、該背表紙１３から各袋体２０を取り外し自在に構成したことにある。
【００１３】
第２の手段において、前記袋体２０は、二方袋又は三方袋の構造を成した紙袋が使用されるものである。
【００１４】
第３の手段において、前記袋体２０は、開口する上部側縁２２側の表側の一部に切欠口部２３が形成されたものである。
【考案の効果】
【００１５】
本考案の請求項１によると、複数枚の袋体２０を重ねると共に、重ねた袋体２０の片側を背表紙１３に着脱自在に接着してノート状に設け、該背表紙１３から各袋体２０を取り外し自在に構成したことにより、袋体２０の表面や裏面をノートのように自由に使用できると共に、袋体２０を取り外して単体でも使用することが可能になった。この結果、使用する者の目的や使用方法により従来にないユニークな使用が可能になる。
【００１６】
請求項２のごとく、袋体２０として、二方袋又は三方袋の構造を成した紙袋を使用することで、袋体２０の前後面を平坦にすることができ、筆記面２１を設けるのに適した袋体２０を形成することができる。また、複数枚の袋体２０を重ねたときも平坦に重ねることができるので、極めてノートに近い状態で使用することが可能である。
【００１７】
請求項３のように、袋体２０に切欠口部２３を形成したことで、袋体２０をノートのように重ねていても、袋体２０を重ねて使用していることが一目でわかるので、使用者に袋体２０の構造をわかり易く示すことができると共に、ノート状の袋体２０に対する興味を惹くことも可能になる。しかも、この切欠口部２３は、袋体２０に収納物Ｐを収納する際に便利である。
【００１８】
このように本考案によると、ノートのように使用できる収納袋により、これまでにないユニークな使用ができるなどといった当初の目的を達成した。
【図面の簡単な説明】
【００１９】
【図１】本考案の一実施例を示す分解斜視図である。
【図２】本考案の袋体の一実施例を示す斜視図である。
【図３】本考案の背表紙と袋体との接着部を示す要部断面図である。
【図４】本考案の使用例を示す斜視図である。
【図５】本考案の袋体の他の実施例を示す斜視図である。
【考案を実施するための形態】
【００２０】
以下、本考案の実施例を説明する。本考案は、ノートとして使用可能な紙袋を提供するもので、表紙体１０の間に複数の袋体２０を綴じたものである。
【００２１】
表紙体１０は、表表紙１１と裏表紙１２との間に背表紙１３を備えたもので、紙材、合成樹脂材、布材等任意の材質にて形成されるものである。
【００２２】
袋体２０は、特に、平坦な紙袋を使用するもので、例えば、二方袋又は三方袋の構造を成した紙袋が使用される。そして、この袋体２０の平坦な表面及び裏面を筆記面２１として設けている。図示の筆記面２１は、白紙の状態であるが、この筆記面２１に任意の罫線や図柄等を記載しておくことも可能である。また、袋体２０のサイズや形状、紙材の厚みや紙質の選択等も任意に選択することができる。
【００２３】
また、図示の袋体２０は、開口する上部側縁２２側の表側の一部に半円状の切欠口部２３が形成されている（図１参照）。この切欠口部２３は、袋体２０の口部を開ける際の手掛かりとする一般的な形状であるが、袋体２０をノートとして使用している場合に、袋体２０を利用していることを一目で知らせることができる目印しての機能も有する。尤も、この切欠口部２３の位置や形状、あるいは切欠口部２３の有無等は任意に選択することが可能である（図５参照）。
【００２４】
図５は、袋体２０の他の実施例を示し、切欠口部２３の他の形状や有無を示している。すなわち、（イ）は、袋体２０の表側に、帯状に切り欠いた切欠口部２３を形成している。また、（ロ）は、袋体２０の裏側と表側とで段差が生じるように、表側を一直線状に切り欠いた切欠口部２３を形成したものである。更に（ハ）のように、切欠口部２３を形成しない袋体２０を設けることも可能である。
【００２５】
そして、複数枚の袋体２０を重ねると共に、重ねた袋体２０の片側を背表紙１３に接着剤１４にて着脱自在に接着してノート状に設ける。この接着剤１４は、重ねた袋体２０を背表紙１３に接着すると共に、袋体２０を１枚ずつ背表紙１３から取り外し可能に接着するものである。
【００２６】
このようにノートを兼用した構成の袋体２０により、通常は袋の表面をノートの筆記部分として自由に書き込むことができるようになる。しかも、この書込みに関連のある品物を収納物Ｐとして書込みのある袋体２０に直接収納することも可能になる。
【００２７】
この結果、例えば袋体２０の筆記面２１に日記や絵日記を記録すると共に、関連するチケットやレシートなどを袋体２０に収納すると、文字による記憶とチケットやレシートなどのリアルな記憶とが一体化したユニークな使用が可能になる。
【００２８】
また、袋体２０を取り外すことで、お菓子などを人に渡す際の小分け袋や薬飲み忘れ防止用の小分け袋、あるいは小物整理用の小分け袋などとしての使用も可能になる。
【００２９】
更に、袋体２０の使用は使用する者の目的や使用方法により次のような使用も可能になる。
・レシート保管や整理（家計簿）
・カード類の保管や整理
・写真やチェキの保管や整理
・写真プレゼント用
・スクラップブック
・CDやDVDを整理、保管するノート
・観光施設のチケットなどを入れて日記帳
・連絡帳
・切符を入れて観光先のスタンプを押すスタンプ帳
・スケジュール帳（カレンダー印刷入り）
・お薬手帳
・寄せ書きブック
【００３０】
尚、本考案は、図示例に限定されるものではなく、本考案の表紙体１０や袋体２０の形状や材質等は、本考案の要旨を変更しない範囲において自由に変更できるものである。
【符号の説明】
【００３１】
Ｐ  収納物
Ｑ  書き込み
１０  表紙体
１１  表表紙
１２  裏表紙
１３  背表紙
１４  接着剤
２０  袋体
２１  筆記面
２２  上部側縁
２３  切欠口部
【図１】
0003212211.tif 000003
【図２】
0003212211.tif 000004
【図３】
0003212211.tif 000005
【図４】
0003212211.tif 000006
【図５】
0003212211.tif 000007